(57)【要約】      （修正有）【課題】送り出し手段の駆動軸を回転自在に支持する軸受部材を、シート積載部に対して開閉される開閉部材に着脱自在に固定する固定部材を備えない場合に比較して、送り出し手段の交換を容易とする。【解決手段】原稿収容部から原稿を送り出す送り出しユニット４１０と、送り出しユニット４１０を回転駆動する駆動軸４１３，４１４と、駆動軸４１３，４１４を軸方向に沿った複数の位置で軸方向に沿った移動を規制しつつ回転自在に支持する複数の軸受部材４１７，４１８と、各軸受部材４１７，４１８に一体的に設けられ、各軸受部材４１７，４１８を原稿収容部に対して開閉されるサイドカバーに着脱自在に固定する固定部材４１９，４２０と、を備えるように構成した。【選択図】図１３
2017024850.tif 000002
【特許請求の範囲】
【請求項１】
シート積載部からシートを送り出す送り出し手段と、
前記送り出し手段を回転駆動する駆動軸と、
前記駆動軸を軸方向に沿った複数の位置で軸方向に沿った移動を規制しつつ回転自在に支持する複数の軸受部材と、
前記各軸受部材に一体的に設けられ、前記各軸受部材を前記シート積載部に対して開閉される開閉部材に着脱自在に固定する固定部材と、
を備えたシート搬送装置。
【請求項２】
前記送り出し手段は、前記駆動軸に固定されたフィードローラと、前記駆動軸から回転駆動力が伝達されるナジャーローラと、前記フィードローラ及び前記ナジャーローラの軸方向に沿った両端部にそれぞれ配置され、前記フィードローラ及び前記ナジャーローラを回転自在に保持する第１及び第２の保持部材とを有し、
前記第１及び第２の保持部材は、前記ナジャーローラを回転自在に支持する回転軸の軸方向に沿って互いに着脱自在に結合されている請求項１に記載のシート搬送装置。
【請求項３】
前記複数の軸受部材のうち、１つの軸受部材には、前記駆動軸を介して電気的な導通を確保する導電性部材が設けられ、前記導電性部材は、前記開閉部材に設けられた導通用部材に接触されている請求項１又は２に記載のシート搬送装置。
【請求項４】
前記固定部材は、前記駆動軸と交差する方向に設けられ、前記固定部材の先端部に前記開閉部材にスナップ結合される固定部を有する請求項１乃至３のいずれかに記載のシート搬送装置。
【請求項５】
原稿の画像を読み取る読取手段と、
前記原稿を前記読取手段へと搬送する原稿搬送手段と、
を備え、
前記原稿搬送手段として請求項１乃至４のいずれかに記載のシート搬送装置を用いた画像読取装置。
【請求項６】
原稿の画像を読み取る請求項５に記載の画像読取装置と、
前記画像読取装置で読み取った画像を記録媒体に記録する画像記録装置と、
を備えた画像形成装置。
【発明の詳細な説明】
【技術分野】
【０００１】
この発明は、シート搬送装置、画像読取装置及び画像形成装置に関する。
【背景技術】
【０００２】
従来、シート搬送装置に関する技術としては、例えば、特許文献１に開示されたものが既に提案されている。
【０００３】
特許文献１は、原稿を搬送する搬送ローラと、搬送ローラに回転駆動力を伝達する駆動軸と、駆動軸を回転自在に支持する軸受部材と、を有する搬送ローラユニットと、搬送ローラに原稿を押し付ける押圧部材と、によって原稿を搬送する原稿搬送装置であって、軸受部材を保持する保持部材を設け、軸受部材は少なくとも、搬送ローラと押圧部材とが圧接する状態で軸受部材が保持部材に保持される保持位置と、保持部材から軸受部材が解離可能となる解離位置との間で回動可能であり、軸受部材を、保持位置から解離位置まで回動させる途中で、搬送ローラと押圧部材との圧接が解除されるように構成したものである。
【先行技術文献】
【特許文献】
【０００４】
【特許文献１】特開２０１０−２０２２９４号公報
【発明の概要】
【発明が解決しようとする課題】
【０００５】
この発明は、送り出し手段の駆動軸を回転自在に支持する軸受部材を、シート積載部に対して開閉される開閉部材に着脱自在に固定する固定部材を備えない場合に比較して、送り出し手段の交換を容易とすることを目的とする。
【課題を解決するための手段】
【０００６】
請求項１に記載された発明は、シート積載部からシートを送り出す送り出し手段と、
前記送り出し手段を回転駆動する駆動軸と、
前記駆動軸を軸方向に沿った複数の位置で軸方向に沿った移動を規制しつつ回転自在に支持する複数の軸受部材と、
前記各軸受部材に一体的に設けられ、前記各軸受部材を前記シート積載部に対して開閉される開閉部材に着脱自在に固定する固定部材と、
を備えたシート搬送装置である。
【０００７】
請求項２に記載された発明は、前記送り出し手段は、前記駆動軸に固定されたフィードローラと、前記駆動軸から回転駆動力が伝達されるナジャーローラと、前記フィードローラ及び前記ナジャーローラの軸方向に沿った両端部にそれぞれ配置され、前記フィードローラ及び前記ナジャーローラを回転自在に保持する第１及び第２の保持部材とを有し、
前記第１及び第２の保持部材は、前記ナジャーローラを回転自在に支持する回転軸の軸方向に沿って互いに着脱自在に結合されている請求項１に記載のシート搬送装置である。
【０００８】
請求項３に記載された発明は、前記複数の軸受部材のうち、１つの軸受部材には、前記駆動軸を介して電気的な導通を確保する導電性部材が設けられ、前記導電性部材は、前記開閉部材に設けられた導通用部材に接触されている請求項１又は２に記載のシート搬送装置である。
【０００９】
請求項４に記載された発明は、前記固定部材は、前記駆動軸と交差する方向に設けられ、前記固定部材の先端部に前記開閉部材にスナップ結合される固定部を有する請求項１乃至３のいずれかに記載のシート搬送装置である。
【００１０】
請求項５に記載された発明は、原稿の画像を読み取る読取手段と、
前記原稿を前記読取手段へと搬送する原稿搬送手段と、
を備え、
前記原稿搬送手段として請求項１乃至４のいずれかに記載のシート搬送装置を用いた画像読取装置である。
【００１１】
請求項６に記載された発明は、原稿の画像を読み取る請求項５に記載の画像読取装置と、
前記画像読取装置で読み取った画像を記録媒体に記録する画像記録装置と、
を備えた画像形成装置である。
【発明の効果】
【００１２】
請求項１に記載された発明によれば、送り出し手段の駆動軸を回転自在に支持する軸受部材を、シート積載部に対して開閉される開閉部材に着脱自在に固定する固定部材を備えない場合に比較して、送り出し手段の交換を容易に行うことができる。
【００１３】
請求項２に記載された発明によれば、第１及び第２の保持部材を、ナジャーローラを回転自在に支持する回転軸を介して互いに着脱自在に結合しない場合に比較して、ナジャーローラの交換を容易に行うことができる
【００１４】
請求項３に記載された発明によれば、軸受部材に、駆動軸を介して電気的な導通を確保する導電性部材を設けない場合に比較して、送り出し手段が帯電することに起因した静電的な埃の付着を抑制することができる。
【００１５】
請求項４に記載された発明によれば、固定部材が、駆動軸と交差する方向に設けられ、固定部材の先端部に開閉部材にスナップ結合される固定部を有しない場合に比較して、送り出し手段の交換をより一層容易に行うことができる。
【００１６】
請求項５に記載された発明によれば、請求項１乃至４のいずれかに記載のシート搬送装置を備えない場合に比較して、送り出し手段の交換を容易に行うことができ、画像読取装置のメンテナンスが容易となる。
【００１７】
請求項６に記載された発明によれば、請求項５に記載の画像読取装置を備えない場合に比較して、画像読取装置のメンテナンスが容易となり、読み取った画像を継続して形成することができる。
【図面の簡単な説明】
【００１８】
【図１】この発明の実施の形態１に係るシート搬送装置を適用した画像形成装置を示す全体構成図である。
【図２】この発明の実施の形態１に係る画像読取装置を示す構成図である。
【図３】この発明の実施の形態１に係るシート搬送装置を示す構成図である。
【図４】この発明の実施の形態１に係るシート搬送装置を示す斜視構成図である。
【図５】この発明の実施の形態１に係るシート搬送装置を示す正面構成図である。
【図６】この発明の実施の形態１に係るシート搬送装置を示す平面構成図である。
【図７】この発明の実施の形態１に係るシート搬送装置の要部を示す斜視構成図である。
【図８】電磁クラッチを示す断面構成図である。
【図９】排出ローラを示す斜視構成図である。
【図１０】歯欠けギアを分解した状態を示す斜視構成図である。
【図１１】同図（ａ）は歯欠けギアの一方の係合部がソレノイドの先端部と係合した状態を示す構成図、同図（ｂ）は歯欠けギアの一方の係合部とソレノイドの先端部との係合が解除された状態を示す構成図である。
【図１２】同図（ａ）は歯欠けギアのカム部が回転する中間の状態を示す構成図、同図（ｂ）は歯欠けギアのカム部が停止した状態を示す構成図である。
【図１３】送り出しユニットを示す平面構成図である。
【図１４】画像読取装置のサイドカバーを開いた状態を示す斜視構成図である。
【図１５】画像読取装置のサイドカバーを閉じた状態を示す斜視構成図である。
【図１６】サイドカバーから送り出しユニットを取り外した状態を示す斜視構成図である。
【図１７】送り出しユニットの要部を示す斜視構成図である。
【図１８】送り出しユニットを分解した状態を示す斜視構成図である。
【図１９】送り出しユニットの要部を示す断面構成図である。
【図２０】送り出しユニットの要部を示す断面構成図である。
【図２１】送り出しユニットの要部を示す断面構成図である。
【図２２】送り出しユニットの要部を示す断面構成図である。
【図２３】送り出しユニットの要部を示す斜視構成図である。
【図２４】同図（ａ）は送り出しユニットの取外状態、同図（ｂ）は送り出しユニットの装着状態をそれぞれ示す断面構成図である。
【図２５】サイドカバーの内面を示す斜視構成図である。
【図２６】サイドカバーの内面を示す斜視構成図である。
【図２７】スナップフィット部の操作状態を示す構成図である。
【発明を実施するための形態】
【００１９】
以下に、この発明の実施の形態について図面を参照して説明する。
【００２０】
[実施の形態１]
図１はこの発明の実施の形態１に係るシート搬送装置及び画像読取装置を適用した画像形成装置の全体の概要を示す構成図である。
【００２１】
＜画像形成装置の全体の構成＞
実施の形態１に係る画像形成装置１は、例えばカラー複写機として構成されたものである。画像形成装置１は、シートの一例としての原稿６の画像を読み取る画像読取装置３と、画像読取装置３で読み取られた画像データなどに基づいて記録媒体に画像を形成する画像形成手段の一例としての画像形成部２とを備えている。画像読取装置３は、画像形成部２を収容した装置本体１ａの上方に支持部４により支持された状態で配置されている。画像読取装置３と装置本体１ａとの間には、画像が形成された記録媒体を排出するための空間が形成されている。
【００２２】
画像読取装置３には、図１に示されるように、その筐体３１の前面に位置する前壁３１１の上部に、画像形成装置１及び画像読取装置３を操作する操作部としてのコントロールパネル６６が設けられている。コントロールパネル６６は、ユーザに操作メニューや警告、メッセージ等を表示する表示部を兼ねるとともに表示した操作メニューに対する各種設定等を受け付けるタッチパネル６７、及び複数の操作ボタン６８を有している。
【００２３】
画像形成部２は、現像剤を構成するトナーで現像されるトナー像を形成する複数の作像装置１０と、各作像装置１０で形成されるトナー像をそれぞれ保持して最終的に記録媒体の一例としての記録用紙５に二次転写する二次転写位置まで搬送する中間転写装置２０と、中間転写装置２０の二次転写位置に供給すべき所要の記録用紙５を収容して搬送する給紙装置５０と、中間転写装置２０で二次転写された記録用紙５上のトナー像を定着させる定着装置４０等を備えている。装置本体１ａは支持構造部材、外装カバー等で形成されている。なお、画像形成部２は、電子写真方式に限定されるものではなく、記録媒体に画像を形成可能なものであればインクジェット方式やサーマルヘッド方式、あるいはリソグラフ方式など他の方式を採用したものであっても良い。
【００２４】
給紙装置５０は、露光装置１３の下方側の位置に存在するように配置される。この給紙装置５０は、所望のサイズ、種類等の記録用紙５を積載した状態で収容する複数（又は単数）の用紙収容体５１１〜５１４と、用紙収容体５１１〜５１４から記録用紙５を１枚ずつ送り出す送出装置５２，５３とで主に構成されている。用紙収容体５１は、例えば、装置本体１ａの正面（使用者が操作時に向き合う側面）側に引き出すことができるように取り付けられている。
【００２５】
給紙装置５０と中間転写装置２０との間には、給紙装置５０から送り出される記録用紙５を二次転写位置まで搬送する複数の用紙搬送ローラ５４，５５や図示しない搬送ガイドで構成される給紙搬送路５６が設けられている。給紙搬送路５６において二次転写位置の直前の位置に配置される用紙搬送ローラ５５は、例えば記録用紙５の搬送時期を調整するローラ（レジストローラ）として構成されている。さらに、定着装置４０の用紙搬送方向に沿った下流側には、記録用紙５を装置本体１ａの上部に設けられた排出収容部５７へと排出する搬送ローラ５８及び排出ローラ５９が配置されている。
【００２６】
複数の作像装置１０は、イエロー（Ｙ）、マゼンタ（Ｍ）、シアン（Ｃ）及びブラック（Ｋ）の４色のトナー像をそれぞれ専用に形成する４つの作像装置１０Ｙ，１０Ｍ，１０Ｃ，１０Ｋで構成されている。各作像装置１０（Ｙ，Ｍ，Ｃ，Ｋ）は、像保持体の一例としての回転する感光体ドラム１１と、感光体ドラム１１の像形成が可能な周面（像保持面）を所要の電位に帯電させる帯電装置１２と、感光体ドラム１１の帯電された周面に画像の情報（信号）に基づく光ＬＢを照射して電位差のある（各色用の）静電潜像を形成する露光装置１３と、その静電潜像を対応する色（Ｙ，Ｍ，Ｃ，Ｋ）の現像剤のトナーで現像してトナー像にする現像装置１４と、その各トナー像を中間転写装置２０に転写する一次転写装置１５と、一次転写後における感光体ドラム１１の像保持面に残留して付着するトナー等の付着物を取り除いて清掃するドラム清掃装置１６を備えている。
【００２７】
中間転写装置２０は、中間転写ベルト２１と、中間転写ベルト２１を矢印方向に沿って搬送する複数の搬送ローラ２２〜２６と、中間転写ベルト２１の表面に残留して付着するトナー等の付着物を取り除いて清掃するベルト清掃装置２７とを有している。また、搬送ローラ２６には、中間転写ベルト２１上のトナー像を記録用紙５に一括して二次転写する二次転写装置としての二次転写ローラ２８が中間転写ベルト２１を介して接触するように配置されている。
【００２８】
また、定着装置４０は、加熱用の回転体４１と加圧用の回転体４２とを備えている。加熱用の回転体４１と加圧用の回転体４２の接触部は、記録用紙５上にトナー像を定着する定着処理部を構成している。
【００２９】
さらに、画像形成装置１は、記録用紙５の両面に画像を形成するための両面ユニット６０を備えている。両面ユニット６０は、片面に画像が形成された記録用紙５を排出ローラ５９によって排出収容部５７へ搬送する際に、排出ローラ５９が記録用紙５の後端を保持している間に当該排出ローラ５９を逆方向に回転させることで、切替ゲート６１を介して記録用紙５を導入する。両面ユニット６０は、導入された記録用紙５をその表裏を反転させた状態で搬送する複数の搬送ローラ６２〜６４及び図示しない搬送ガイドから構成される両面用搬送経路６５を有している。
【００３０】
なお、図１中、符号１４０（Ｙ，Ｍ，Ｃ，Ｋ）は、対応する現像装置１４に供給する少なくともトナーを含む現像剤を収容した現像剤収納容器としてのトナーカートリッジをそれぞれ示している。この実施の形態では、トナーカートリッジ１４０（Ｙ，Ｍ，Ｃ，Ｋ）の内部にトナーのみを収納している。
【００３１】
また、符号１００は、画像形成装置１の画像形成動作及び画像読取装置３の画像読取動作を制御する制御装置を示している。なお、画像読取装置３の画像読取動作を制御する制御装置は、画像形成装置１の制御装置とは別個に構成してもよい。
【００３２】
＜画像形成装置の基本的な動作＞
以下、画像形成装置１による基本的な画像形成動作について説明する。
【００３３】
ここでは、前記４つの作像装置１０（Ｙ，Ｍ，Ｃ，Ｋ）を使用して、４色（Ｙ，Ｍ，Ｃ，Ｋ）のトナー像を組み合わせて構成されるフルカラー画像を形成するときの画像形成動作について説明する。
【００３４】
画像形成装置１は、画像形成動作（プリント）の要求の指令情報を受けると、４つの作像装置１０（Ｙ，Ｍ，Ｃ，Ｋ）、中間転写装置２０、二次転写装置２８、定着装置４０等が始動する。
【００３５】
そして、各作像装置１０（Ｙ，Ｍ，Ｃ，Ｋ）においては、対応する色のトナーでそれぞれ現像された４色（Ｙ，Ｍ，Ｃ，Ｋ）のトナー像として顕像化される。各作像装置１０（Ｙ，Ｍ，Ｃ，Ｋ）で形成された各色のトナー像が一次転写位置まで搬送されると、一次転写装置１５が、その各色のトナー像を中間転写装置２０の矢印で示す方向に回転する中間転写ベルト２１に対して順番に重ね合わせるような状態で一次転写させる。続いて、中間転写装置２０は、中間転写ベルト２１の回転により一次転写されたトナー像を保持して二次転写位置まで搬送する。一方、給紙装置５０では、作像動作に合わせて所要の記録用紙５を給紙搬送路５６に送り出す。給紙搬送路５６では、レジストローラとしての用紙搬送ローラ５５が記録用紙５を転写時期に合わせて二次転写位置に送り出して供給する。
【００３６】
二次転写位置においては、二次転写ローラ２８が、中間転写ベルト２１上のトナー像を記録用紙５に一括して二次転写させる。また、二次転写が終了した後の中間転写装置２０では、ベルト清掃装置２７が、二次転写後の中間転写ベルト２１の表面に残留したトナー等の付着物を取り除いて清掃する。
【００３７】
続いて、トナー像が二次転写された記録用紙５は、中間転写ベルト２１と二次転写ローラ２８から剥離された後に定着装置４０まで搬送される。定着装置４０では、必要な定着処理（加熱及び加圧）を施して未定着のトナー像を記録用紙５に定着させる。最後に、定着が終了した後の記録用紙５は、搬送ローラ５８及び排出ローラ５９により、例えば装置本体１ａの上部に配置された排出収容部５７に排出される。
【００３８】
また、記録用紙５の両面に画像を形成するときは、片面に画像が形成された記録用紙５を排出ローラ５９により排出収容部５７へ搬送する際、排出ローラ５９が記録用紙５の後端を保持している間に当該排出ローラ５９の回転方向を逆方向に切り替える。排出ローラ５９により逆方向に搬送される記録用紙５は、切替ゲート６１によって搬送方向が両面ユニット６０側へ切り替えられる。その後、記録用紙５は、搬送ローラ６２〜６４等を備えた両面用搬送経路６５を介して表裏が反転された状態で搬送ローラ５５へと搬送される。搬送ローラ５５は、記録用紙５を転写時期に合わせて二次転写位置に送り出して供給する。記録用紙５は、その裏面（第２面）に中間転写ベルト２１からトナー像が二次転写され、定着装置４０による定着処理が施されて、排出ローラ５９により装置本体１ａの上部に設置された排出収容部５７に第２面を下にして排出される。
【００３９】
以上の動作により、４色のトナー像を組み合わせて形成されるフルカラー画像が形成された記録用紙５が排出される。
【００４０】
＜画像読取装置の構成＞
図２はこの実施の形態１に係る画像読取装置の構成を示す概略構成図である。
【００４１】
画像読取装置３は、大別して、上端面に原稿読取面（支持面）が形成された筐体３１と、筐体３１に対して開閉自在に取り付けられた原稿押さえカバー３２と、原稿押さえカバー３２の一端部（図示例では左側端部）に設けられた自動原稿搬送装置（DADF: Duplex Automatic Document Feeder)３３とを備えている。
【００４２】
画像読取装置３は、ユーザの操作に応じて、自動原稿搬送装置３３によって原稿６を一枚ずつ自動的に搬送しながら原稿６の画像を読み取る第１の読取モードと、後述する原稿台８３の上に置かれた原稿６の画像を読み取る第２の読取モードとに切り替え可能に構成されている。図２は、第１の読取モードにおける原稿読み取り時の各部材の状態を示している。
【００４３】
自動原稿搬送装置３３は、読取面（第１面）を上にした状態で複数枚の原稿６を積載して収容可能なシート積載部の一例としての原稿収容部７０と、原稿収容部７０から原稿６を送り出す送り出し手段の一例としてのナジャーローラ７１と、ナジャーローラ７１によって送り出された原稿６を１枚ずつ捌いて供給する送り出し手段の一例としてのフィードローラ７２と、フィードローラ７２に押圧されて原稿６を１枚ずつ捌く押圧パッド７２ａと、原稿６を読取位置へ搬送する第１の搬送ローラ７３と、第１の搬送ローラ７３によって搬送される原稿６を読取位置を通過するように搬送する搬送ローラ７４，７５と、原稿６を排出収容部７６へ排出する第２の搬送ローラの一例としての排出ローラ７７から構成される原稿搬送機構を有している。これらのナジャーローラ７１、フィードローラ７２、搬送ローラ７３〜７５及び排出ローラ７７は、原稿６の読み取り時に後述する駆動手段によって駆動される。第１の搬送ローラ７３は、原稿６の読取位置への搬送時期を調整するレジストローラである。尚、この実施の形態では、特にローラ対として明示的に記載していないが、搬送ローラや排出ローラなる用語は一対のローラを含むものである。
【００４４】
また、第１の搬送ローラ７３は、搬送方向に対する原稿６の傾きを機械的に補正（以下、「スキュー補正」という。）して原稿６の端縁を搬送方向と同一方向に補正する補正手段としても機能する。第１の搬送ローラ７３のうち駆動ローラとしての搬送ローラ７３ｂは、図２に示されるように、後述する駆動モータ等を駆動手段として、停止した状態から予め定められたタイミングで図の正転方向Ｒａに回転するように駆動される。従動ローラである搬送ローラ７３ａは、搬送ローラ７３ｂに圧接した状態で搬送ローラ７３ｂに従って回転する。
【００４５】
第１の搬送ローラ７３は、駆動ローラとしての搬送ローラ７３ｂが停止している間に、原稿６の搬送方向に沿った上流側に位置するフィードローラ７２により搬送される原稿６の先端が当該搬送ローラ７３ｂと搬送ローラ７３ａとの圧接部に突き当てられる。そして、搬送ローラ７３は、原稿６の先端領域を撓ませることで原稿６の先端を搬送ローラ７３の軸方向と一致させた後に原稿６の搬送を開始することによりスキュー補正を行う。
【００４６】
また、自動原稿搬送装置３３は、原稿６を読取位置に案内するとともに読取位置から排出方向に案内する湾曲形状の読取ガイド７８と、読取窓７９の上方であって読取ガイド７８に設けられ原稿６の背面を支持する背面支持部材８０と、原稿収容部７０に設けられて原稿６の副走査方向のサイズを検知する第１のサイズ検知センサ８１と、同じく原稿収容部７０に設けられて原稿６の副走査方向のサイズを検知する第２のサイズ検知センサ８２とを有する。
【００４７】
画像読取装置３の筐体３１は、上端面の一部が開口した直方体状の箱体として形成されている。筐体３１は、原稿押さえカバー３２に対向する上壁３１２と、上壁３１２に対向する底壁３１３と、底壁３１３を挟んで副走査方向（図２の左右方向）に対向する側壁３１４及び側壁３１５と、上述した前壁３１１（図１を併せて参照）と、前壁３１１に対して主走査方向（図２の紙面に直交する方向）に沿って対向する後壁３１６とを有している。
【００４８】
筐体３１の上壁３１２には、第２の読取モード時に読み取られる原稿６の原稿読取位置に対応する部位に平面矩形状の大きな開口部３１７が形成されている。開口部３１７には、原稿６を支持する透明な原稿台８３（プラテンガラス）が配置されている。また、原稿台８３の自動原稿搬送装置３３側には、第１の読取モード時に原稿６を読み取るための透明な読取窓７９が設けられている。読取窓７９と原稿台８３との間には、第１の読取モード時に読取位置を通過した原稿６を搬送ローラ７５へと案内する上端面が傾斜した案内部材８４が設けられている。
【００４９】
画像読取装置３は、筐体３１の内部に、原稿６を照明するための光を照射する照明ランプやＬＥＤ（Light Emitting Diode）等からなる照明手段の一例としての光源８５と、光源８５から出射された光の一部を原稿６の方向へ向けて反射するリフレクタ８６と、原稿６からの反射光を受ける第１のミラー８７と、第１のミラー８７からの反射光を受ける第２のミラー８８と、第２のミラー８８からの反射光を受ける第３のミラー８９と、第３のミラー８９からの反射光をＣＣＤ（Charge-Coupled Device）やＣＭＯＳ（Complementary Metal Oxide Semiconductor）等からなる画像読取手段の一例としての画像読取素子９０に結像する結像レンズ９１などを有する画像読取部とを備えている。光源８５は、原稿６及びリフレクタ８６の方向に向けて光を照射する。第１乃至第３のミラー８７〜８９及び結像レンズ９１は、原稿６の画像を画像読取素子９０で読み取るための読取光学系を構成している。
【００５０】
光源８５、リフレクタ８６及び第１のミラー８７は、主走査方向に沿って配置され、副走査方向に沿って図示しない駆動手段により移動可能に構成されたキャリッジからなる第１の移動体９２に取り付けられている。第１の移動体９２は、第１のレール９３によって案内される。第１の移動体９２は、副走査方向に沿って移動しながら原稿６の読取対象領域を照明しつつ、第１のミラー８７によって原稿６の反射光を第２の移動体９４の第２のミラー８８に向けて反射する。第１のレール９３は、筐体３１の後壁３１６に副走査方向に沿って配置されている。
【００５１】
また、第２のミラー８８及び第３のミラー８９は、主走査方向に沿って配置され、副走査方向に沿って駆動手段により移動可能に設けられたキャリッジからなる第２の移動体９４に取り付けられている。第２の移動体９４は、第２のレール９５により案内されて副走査方向に移動しながら、原稿６の反射光を画像読取部の結像レンズ９１に向けて反射する。第２のレール９５は、筐体３１の底壁３１３に副走査方向に沿って配置されている。第１のレール９３及び第２のレール９５は、主走査方向に沿った両端部に対向するようにそれぞれ１つずつ配置されている。
【００５２】
画像読取部は、画像読取素子９０を実装した画像読取基板９７を有する。結像レンズ９１及び画像読取基板９７は、底壁３１３に支持されたベース板９６に取り付けられている。画像読取部は、第３のミラー８９からの反射光が結像レンズ９１を透過してＣＣＤやＣＭＯＳ等からなる画像読取素子９０に結像し、画像読取素子９０によって原稿６の画像を読み取り画像データを出力する。画像読取素子９０によって読み取られた画像データは、図示しない画像処理装置により必要に応じてシェーディング補正等の予め定められた画像処理が施され、制御装置１００へと送られる。
【００５３】
第１の読取モード時には、図２に実線で示されるように、第１及び第２の移動体９２，９４を筐体３１の左側の端部に設定された読取位置に停止させた状態で、自動原稿搬送装置３３によって原稿６を自動的に搬送し、読取窓７９の上部を通過する原稿６を光源８５により照明し、原稿６からの反射光像を第１のミラー８７によって第２及び第３のミラー８８，８９を介して結像レンズ９１へと反射する。画像読取部は、第３のミラー８９からの反射光像を結像レンズ９１によって画像読取素子９０に結像し、画像読取素子９０により原稿６の画像を読み取って画像読取素子９０から画像データを出力する。
【００５４】
一方、第２の読取モード時には、第１の移動体９２及び第２の移動体９４を図示しない駆動手段によって駆動し、第１の移動体９２が副走査方向に沿って移動する間に、原稿６の画像読取位置から画像読取素子９０に至る光路長が変化しないように、第２の移動体９４の移動量が第１の移動体９２の移動量の１／２となるよう構成されている。図２中、二点鎖線は、第１の移動体９２が原稿６の副走査方向の端部付近に移動したときの第１の移動体９２及び第２の移動体９４の位置を示す。
【００５５】
＜画像読取装置の要部の構成＞
この実施の形態１に係る画像読取装置３は、図３に示されるように、原稿収容部７０に収容されたシートの一例としての原稿６を１枚ずつ捌いて読取位置へと搬送するとともに、読取位置を通過したシートをスイッチバックさせて表裏を反転した状態で読取位置へと再度搬送するシート搬送装置３２０を備えている。シート搬送装置３２０は、ナジャーローラ７１と、フィードローラ７２と、押圧パッド７２ａと、第１の搬送ローラ７３と、搬送ローラ７４，７５と、排出ローラ７７と、これらのローラを駆動する単一の駆動手段（駆動源）の一例としての駆動モータ３２１と、第１の搬送ローラ７３を駆動モータ３２１の回転方向にかかわらず一定方向に回転させる回転手段の一例としての一定方向回転機構３２２と、第１の搬送ローラ７３へ駆動力を伝達する状態と伝達しない状態とに切り替える切替手段の一例としての第１の駆動伝達切替手段３２３と、フィードローラ７２及びナジャーローラ７１への駆動力を伝達する状態と伝達しない状態とに切り替える切替手段の一例としての第２の駆動伝達切替手段３２４とを有している。尚、図３中、破線は駆動力の伝達経路を示している。
【００５６】
シート搬送装置３２０は、図３に示されるように、ナジャーローラ７１によって搬送される原稿６をフィードローラ７２、第１の搬送ローラ７３、搬送ローラ７４，７５、排出ローラ７７を通過するように搬送する通常の搬送経路３２５と、排出ローラ７７によって後端が保持された原稿６を当該排出ローラ７７の回転方向を逆転させることにより原稿６の表裏を反転させて第１の搬送ローラ７３へと再度搬送する反転搬送経路３２６とを備えている。通常の搬送経路３２５は、当該通常の搬送経路３２５に沿って複数に分割され、原稿６の表裏を案内するガイド部材３２５ａ，３２５ｂ、読取ガイド７８及び背面支持部材８０を有している。反転搬送経路３２６は、原稿６の表裏を案内するガイド部材３２６ａ，３２６ｂを有している。また、通常の搬送経路３２５と反転搬送経路３２６とが分かれる分岐位置には、原稿６の搬送経路を通常の搬送経路３２５から反転搬送経路３２６へと切り替える切替ゲート３２７が設けられている。この切替ゲート３２７は、断面形状が略Ｙ字形状に形成された弾性変形自在な合成樹脂製のフィルム等から形成されている。切替ゲート３２７は、通常、図３に示されるように、その一部が通常の搬送経路３２５を斜めに横切るように配置されている。切替ゲート３２７は、原稿６を通常の搬送経路３２５に沿って排出ローラ７７へと搬送する際、原稿６に押されて通常の搬送経路３２５を開放するように弾性変形し、原稿６の搬送方向を排出ローラ７７へと切り替える。一方、切替ゲート３２７は、排出ローラ７７が原稿６の後端を保持している間に当該排出ローラ７７の回転方向を逆転させ、原稿６を反転搬送経路３２６に沿って第１の搬送ローラ７３へと搬送する際、排出ローラ７７によって搬送される原稿６の搬送経路を通常の搬送経路３２５から反転搬送経路３２６へ切り替える。
【００５７】
シート搬送装置３２０は、ナジャーローラ７１に対応した位置に原稿６の先端を検出する原稿センサ３２８を備えている。また、第１の搬送ローラ７３の原稿６の搬送方向に沿った上流側には、原稿６の先端を検出するプリレジセンサ３２９を備えている。さらに、シート搬送装置３２０は、搬送ローラ７４の原稿６の搬送方向に沿った下流側に配置され、原稿６の先端を検出する図示しないレジセンサと、排出ローラ７７の原稿６の搬送方向に沿った上流側に配置され、原稿６の後端を検出する図示しないインバータセンサとを備えている。
【００５８】
シート搬送装置３２０の構成について更に具体的に説明すると、シート搬送装置３２０は、図４及び図５に示されるように、駆動手段の一例としての駆動モータ３２１を有している。駆動モータ３２１は、第１の方向（正転方向）及び第２の方向（逆転方向）に回転方向を切替可能に構成されている。駆動モータ３２１の出力軸３３１（図５参照）には、出力ギア３３２が取り付けられている。出力ギア３３２は、駆動モータ３２１の回転方向に従って第１及び第２の方向Ｒ１，Ｒ２に回転する。出力ギア３３２は、一体的に構成された２連のアイドラギア３３３のうち、第１のアイドラギア３３３ａと噛み合わされている。２連のアイドラギア３３３のうち、第２のアイドラギア３３３ｂには、第１の搬送ロー７３及び搬送ローラ７４，７５を回転駆動するための第１の駆動ギア３３４が噛み合わされている。この第１の駆動ギア３３４には、その軸方向に沿った一側に太陽ギア３３５が、その他側に駆動プーリ３３６がそれぞれ一体的に設けられている。
【００５９】
第１の駆動ギア３３４、太陽ギア３３５及び駆動プーリ３３６は、図６に示されるように、シート搬送装置３２０の第１及び第２のフレーム３９７，３９８との間に掛け渡された支持軸３９９に回転自在に取り付けられている。駆動プーリ３３６には、図４及び図５に示されるように、駆動ベルト３３８が掛け渡されている。さらに、駆動ベルト３３８は、当該駆動ベルト３３８に張力を付与するテンションプーリ３３９と、搬送ローラ７４の回転軸３４０の一端部に取り付けられた従動プーリ３４１と、駆動ベルト３３８の張架方向を変更する従動プーリ（図示を省略）と、搬送ローラ７５の回転軸３４２の一端部に取り付けられた従動プーリ３４３（図５参照）と、に掛け渡されている。尚、図６中、符号Ｓはテンションプーリ３３９に張力を付与するコイルスプリングを示している。
【００６０】
太陽ギア３３５の外周には、図５及び図７に示されるように、当該太陽ギア３３５より直径が小さく設定された第１及び第２の遊星ギア３４４，３４５が噛み合わされている。第１及び第２の遊星ギア３４４，３４５は、太陽ギア３３５の支持軸３９９に回転自在に取り付けられた遊星キャリア３４６の先端部にそれぞれ回転自在に取り付けられている。第１及び第２の遊星ギア３４４，３４５は、後述する一方向ギア３４８側の中心角が１８０度より小さい角度を成すよう配置されている。遊星キャリア３４６は、側面形状が湾曲した形状に形成された環状の板バネ３４７（図４参照）により太陽ギア３３５の側面に所要の圧力をもって圧接されている。遊星キャリア３４６は、太陽ギア３３５の回転に伴って当該太陽ギア３３５の回転方向と同方向に回転する。
【００６１】
太陽ギア３３５の側方には、図４に示されるように、第１又は第２の遊星ギア３４４，３４５と選択的に噛み合う一方向歯車の一例としての一方向ギア３４８を備えている。一方向ギア３４８は、第１の搬送ローラ７３の回転軸３４９に回転自在に装着されている。一方向ギア３４８は、太陽ギア３３５が正転方向（図中時計回り方向）に回転すると、遊星キャリア３４６に取り付けられた第１の遊星ギア３４４と直接噛み合うことにより図中時計回り方向に回転する。また、一方向ギア３４８は、太陽ギア３３５が逆転方向（図中反時計回り方向）に回転すると、遊星キャリア３４６が逆転方向に回転し、遊星キャリア３４６に取り付けられた第２の遊星ギア３４５と中間ギア３５１を介して噛み合うことにより同じく図中時計回り方向に回転する。このように、一方向ギア３４８は、太陽ギア３３５を正転方向及び逆転方向に駆動する駆動モータ３２１の回転方向にかかわらず、常に一定方向（図４中、時計回り方向）に回転する。太陽ギア３３５、第１及び第２の遊星ギア３４４，３４５、中間ギア３５１及び一方向ギア３４８は、一定方向回転機構３２２を構成している。
【００６２】
中間ギア３５１は、図５及び図７に示されるように、アーム部材３５２の先端３５２ａに回転自在に取り付けられている。中間ギア３５１は、常時、一方向ギア３４８と噛み合わされている。アーム部材３５２は、支持軸３９９に固定した状態で装着されている。アーム部材３５２は、図６に示されるように、第２のフレーム３９８と遊星キャリア３４６との間に配置されている。遊星キャリア３４６は、上述したように、当該遊星キャリア３４６とアーム部材３５２との間に介在された環状の板バネ３４７によって太陽ギア３３５の側面に圧接されている。また、アーム部材３５２には、図５及び図７に示されるように、第１及び第２の遊星ギア３４４，３４５を回転自在に支持した支持部の側面３５２ｂ，３５２ｃに、遊星キャリア３４６に設けられた円柱形状の凸部３４６ａ，３４６ｂが当接し、太陽ギア３３５と共に回動する遊星キャリア３４６が位置決めされる。また、中間ギア３５１には、駆動ベルト３３８の張架方向を変更する従動プーリ（図示を省略）が同軸状に設けられている。中間ギア３５１は、第２の遊星ギア３４５の回転方向を逆転させて一方向ギア３４８に伝達するためのものである。中間ギア３５１は、１つに限らず、互いに噛み合わされた奇数個の中間ギアから構成しても良い。
【００６３】
なお、この実施の形態では、部品の共通化を図るため、第１及び第２の遊星ギア３４４，３４５、並びに中間ギア３５１として同一のギアを用いている。
【００６４】
一方向ギア３４８は、図４に示されるように、第１の駆動伝達切替手段の一例としての第１の電磁クラッチ３２３に取り付けられている。第１の電磁クラッチ３２３は、図８に示されるように、第１の搬送ローラ７３の回転軸３４９に形成されたＤカット面３４９ａを介して回転軸３４９に固定した状態で取り付けられたロータ３２３ａと、ロータ３２３ａに対して軸受３２３ｂを介して固定した状態で配置されるステータ３２３ｃと、回転軸３４９に回転自在に取り付けられ、一方向ギア３４８が固定した状態で装着された可動片であるアーマチュア３２３ｄと、ステータ３２３ｃに設けられてロータ３２３ａの軸方向に貫通する磁気回路を形成する励磁コイル３２３ｅと、ヨークを兼ねるとともに励磁コイル３２３ｅを保護する円筒形状の外装３２３ｆとを備えている。外装３２３ｆは、一方向ギア３４８に隣接して配置されている。外装３２３ｆの外径は、一方向ギア３４８より大きく設定されている。外装３２３ｆは、ステータ３２３ｃと一体に構成しても良い。また、ステータ３２３ｃは、回り止め部３２３ｇを介してシート搬送装置３２０の第２のフレーム３９９に固定されている。アーマチュア３２３ｄは、ロータ３２３ａから離反させる方向に付勢する図示しない離反バネを有しており、アーマチュア３２３ｄの垂直面とロータ３２３ａの側面との間に空隙Ｇを形成している。
【００６５】
第１の電磁クラッチ３２３は、励磁コイル３２３ｅに通電することにより、離反バネに抗してアーマチュア３２３ｄとロータ３２３ａを結合させ、一方向ギア３４８によって回転駆動されるアーマチュア３２３ｄの回転駆動力をロータ３２３ａに伝達し、ロータ３２３ａが固定された回転軸３４９を回転させる。
【００６６】
一方、第１の電磁クラッチ３２３は、励磁コイル３２３ｅへの通電を遮断することにより、アーマチュア３２３ｄが離反バネの弾性力によってロータ３２３ａから離間し、アーマチュア３２３ｄの回転駆動力をロータ３２３ａに伝達せず、ロータ３２３ａが固定された回転軸３４９を停止させる。その際、一方向ギア３４８が取り付けられたアーマチュア３２３ｄは、一方向ギア３４８と共に回転を継続する。
【００６７】
また、２連のアイドラギア３３３のうち、第２のアイドラギア３３３ｂには、図５に示されるように、ナジャーローラ７１、フィードローラ７２及び排出ローラ７７を回転駆動するための第２の駆動ギア３５５が噛み合わされている。第２の駆動ギア３５５は、排出ローラ７７の回転軸３５６の端部に取り付けられた従動ギア３５７と噛み合わされている。さらに、従動ギア３５７には、図４に示されるように、ナジャーローラ７１及びフィードローラ７２に回転駆動力を伝達する伝達ギア３５８が噛み合わされている。伝達ギア３５８の回転軸３５９には、第２の駆動伝達切替手段の一例としての第２の電磁クラッチ３２４が装着されている。第２の電磁クラッチ３２４は、第１の電磁クラッチ３２３と同様に構成されている。図４中、符号３２４ｇは、第２の電磁クラッチ３２４の周り止め部を示している。
【００６８】
伝達ギア３５８の回転軸３５９には、図４に示されるように、従動ギア３６０が固定した状態で取り付けられている。また、従動ギア３６０には、フィードローラ７２及びナジャーローラ７１に回転駆動力を伝達する伝達ギア３６１が噛み合わされている。伝達ギア３６１には、後述するように、フィードローラ７２の駆動軸４１３の端部に取り付けられた従動ギア４２１（図１３参照）が噛み合わされる。
【００６９】
更にこの実施の形態では、図５に示されるように、排出ローラ７７が原稿６をスイッチバックさせて第１の搬送ローラ７３へと搬送した後、駆動モータ３２１の回転方向を正転方向に切り替えたとき、排出ローラ７７の原稿６に対する搬送力を予め設定されたタイミングで解除する解除手段３６２を備えている。
【００７０】
解除手段３６２は、図３に示されるように、互いに圧接する一対のローラからなる排出ローラ７７のうち、上方に位置する従動ローラ７７ａを下方に位置する駆動ローラ７７ｂから離間させるように構成されている。排出ローラ７７の従動ローラ７７ａは、図９に示されるように、シート搬送装置３２０に回転自在に支持された支持軸３６３から交差する方向に延びた腕部３６４の先端に回転自在に取り付けられている。支持軸３６３の一端部には、従動ローラ７７ａを駆動ローラ７７ｂから離間させる方向に昇降させる昇降アーム３６５が、支持軸３６３と交差する方向に一体的に設けられている。昇降アーム３６５は、図５に示されるように、従動ギア３５７から間欠的に駆動力が伝達されて昇降駆動される。支持軸３６３の腕部３６４は、従動ローラ７７ａを駆動ローラ７７ｂに圧接させる方向に付勢されている。図９中、符号４００はシート搬送装置３２０の開閉ユニットを、４０１は開閉部材を、４０２は開閉部材４０１の回動支点を、４０４は開閉部材４０１を開閉するための操作部をそれぞれ示している。
【００７１】
従動ギア３５７の一側には、図４及び図５に示されるように、周方向に沿った一部に歯が設けられていない歯欠けギア３６７が配置されている。歯欠けギア３６７は、図１０に示されるように、第１の歯欠けギア３６８と第２の歯欠けギア３６９とを同軸状に組み合わせて構成されている。また、歯欠けギア３６７の一側には、図５に示されるように、当該歯欠けギア３６７を間欠的に駆動するためのソレノイド３７０が配置されている。
【００７２】
第１の歯欠けギア３６８は、図１０に示されるように、相対的に大きい外径を有する円筒形状に形成された大径部３７１と、大径部３７１の軸方向に沿った一端側に一体的に設けられ、大径部３７１よりも相対的に小さい外径を有する中空の円筒形状に形成された小径部３７２とを有している。大径部３７１の外周には、中心角が１８０度よりも小さい角度をなす第１のギア部３７３と第２のギア部３７４とが軸の中心に対して対称となる位置にそれぞれ形成されている。そして、第１のギア部３７３と第２のギア部３７４との間には、歯が形成されていない第１及び第２の歯欠け部３７５，３７６が設けられている。また、小径部３７２の外周には、２つの係合部３７７，３７８が１８０度異なる位置に設けられている。係合部３７７，３７８は、図５に示されるように、半径方向に沿って形成された係合面３７７ａ，３７８ａと、係合面３７７ａ，３７８ａの先端から周方向の一方に沿って傾斜するよう形成された傾斜面３７７ｂ，３７８ｂとを有している。小径部３７２の係合部３７７，３７８には、ソレノイド３７０がオフ状態のとき、バネ３７０ａにより付勢された作動片３７９の先端３７９ａが係合される。
【００７３】
一方、第２の歯欠けギア３６９は、図１０に示されるように、相対的に大きい外径を有する円筒形状に形成された大径部３８０と、大径部３８０の軸方向に沿った一端側に一体的に設けられたカム部３８１とを有している。大径部３８０の外周には、第１の歯欠けギア３６８と同様に、中心角が１８０度よりも小さい角度をなす第３のギア部３８２と第４のギア部３８３とが、軸の中心に対して対称となる位置に形成されている。そして、第３のギア部３８２と第４のギア部３８３との間には、第３及び第４の歯欠け部３８４，３８５が設けられている。なお、第３及び第４のギア部３８２，３８３と第３及び第４の歯欠け部３８４，３８５は、第１及び第２のギア部３７３，３７４と第１及び第２の歯欠け部３７５，３７６と同様に構成されている。
【００７４】
カム部３８１は、回転軸に近い位置に平面状に設けられた第１の平坦部３８１ａと、第１の平坦部３８１ａよりも回転軸から離間した位置に平面状に設けられた第２の平坦部３８１ｂと、これら第１及び第２の平坦部３８１ａ，３８１ｂを繋ぐ湾曲部３８１ｃ，３８１ｄとを有している。
【００７５】
第１の歯欠けギア３６８と第２の歯欠けギア３６９との間には、第２の歯欠けギア３６９に対して第１の歯欠けギア３６８を図５中時計回り方向に回転させる回転力を付与する回転力付与手段の一例としてのコイルスプリング３８６が設けられている。コイルスプリング３８６の一端は、第１の歯欠けギア３６８の挿入孔３８７に挿入されている。また、コイルスプリング３８６の他端は、第２の歯欠けギア３６９の挿入孔３８８（図１１参照）に挿入されている。
【００７６】
第２の歯欠けギア３６９には、第１の歯欠けギア３６８側に位置する側面に被案内部材の一例としてのピン３８９が設けられている。一方、第１の歯欠けギア３６８には、ピン３８９に対応して、案内部の一例としてのガイド溝３９０が形成されている。ガイド溝３９０は、軸を中心とする所要の位置に所要の中心角をなすよう円弧状に形成されている。なお、第１の歯欠けギア３６８と第２の歯欠けギア３６９を組み合わせた状態では、コイルスプリング３８６によって第１の歯欠けギア３６８が第２の歯欠けギア３６９に対して図５中時計回り方向に回転する回転力が付与されている。また、図５に示す状態では、ピン３８９がガイド溝３９０の一方の端部３９０ａ側に位置している。
【００７７】
第２の歯欠けギア３６９のカム部３８１には、図９に示されるように、作動部材３９１の先端部３９２が図示しないコイルスプリング等の弾性力により常時圧接するように配置されている。作動部材３９１は、その基端部に設けられた支持軸３９３を介して第１のフレーム３９７に回転自在に取り付けられている。作動部材３９１の基端部には、昇降アーム３６５を昇降させる作動部３９４が、当該基端部の側面に支持軸３９３の軸方向に沿って突出するように設けられている。また、作動部材３９１の先端には、位置センサ３９６によって作動部材３９１の位置を検出するための平板状の検出部３９５が設けられている。
【００７８】
解除手段３６２は、通常、図１１（ａ）に示されるように、ソレノイド３７０がオフ状態となっており、作動レバー３７９が歯欠けギア３６７の一方の係合部３７７と係合されている。このとき、歯欠けギア３６７は、第２及び第４の歯欠け部３７６，３８５が従動ギア３５７と対向する位置で停止している。そのため、従動ギア３５７の回転駆動力は、歯欠けギア３６７に伝達されない。歯欠けギア３６７のカム部３８１は、第１のカム部３８１ａが作動部材３９１の先端部３９２に接触している。よって、作動部材３９１は、図９に示す位置にある。そのため、作動部材３９１の作動部３９４は、下方に位置して昇降アーム３６５が押し下げられており、排出ローラ７７の従動ローラ７７ａは、駆動ローラ７７ｂと接触している。
【００７９】
次に、解除手段３６２は、図１１（ｂ）に示されるように、ソレノイド３７０を予め設定された短い時間だけオン状態とすると、作動レバー３７９の先端３７９ａと歯欠けギア３６７の係合部３７７との係合状態が解除される。すると、歯欠けギア３６７のうち、第１の歯欠けギア３６８は、コイルスプリング３８６の弾性力によって回動し、第１の歯欠けギア３６８の第１のギア部３７３が従動ギア３５７と噛み合わされる。そのため、第１の歯欠けギア３６８は、従動ギア３５７によって図中反時計回り方向に回転駆動される。その際、第２の歯欠けギア３６９は停止している。第１の歯欠けギア３６８が図中反時計回り方向に所要の角度以上回転すると、第２の歯欠けギア３６９のピン３８９が図１０に示されるように第１の歯欠けギア３６８におけるガイド溝３９０の端部３９０ｂに当接する。その結果、第２の歯欠けギア３６９は、第１の歯欠けギア３６８に対して所要の角度だけ遅れて同方向に回転駆動され、第３のギア部３８２が従動ギア３５７と噛み合わされる。
【００８０】
第１の歯欠けギア３６８は、図１２（ａ）に示されるように、第１のギア部３７３と従動ギア３５７との噛み合いが終了し、第１の歯欠け部３７５が従動ギア３５７と対向する位置まで回転すると、従動ギア３５７から回転駆動力が伝達されなくなる。しかしながら、第１の歯欠けギア３６８には、コイルスプリング３８６によって図５中時計回り方向の弾性力が付与されている。そのため、第１の歯欠けギア３６８は、図５中時計回り方向への回転を継続し、図１２（ａ）に示されるように、他方の係合部３７８がソレノイド３７０の作動レバー３７９の先端３７９ａと係合した状態で停止する。
【００８１】
一方、第２の歯欠けギア３６９は、上述したように、第１の歯欠けギア３６８より所要の角度だけ遅れて第１の歯欠けギア３６８と同方向に回転する。そのため、第１の歯欠けギア３６８の第１の歯欠け部３７５が従動ギア３５７と対向する位置まで回転した時点で、第２の歯欠けギア３６９は、第３のギア部３８２が未だ従動ギア３５７と噛み合わされて回転を継続している。
【００８２】
その後、第２の歯欠けギア３６９は、図１２（ａ）に示されるように、第３のギア部３８２と従動ギア３５７との噛み合いが終了し、第３の歯欠け部３８４が従動ギア３５７と対向する位置まで回転する。すると、第２の歯欠けギア３６８には、従動ギア３５７から回転駆動力が伝達されない。このとき、第２の歯欠けギア３６９のカム部３８１は、作動部材３９１の先端部３９２と圧接する位置が、湾曲部３８１ｄと第２の平坦部３８２ｂとの間に位置し、カム部３８１の偏心量が最も大きい死点を既に通過した位置となるよう設定されている。そのため、第２の歯欠けギア３６９には、第３のギア部３８２と従動ギア３５７との噛み合いが終了した時点で、カム部３８１の第２の平坦部３８２ｂと作動部材３９１の先端部３９２との圧接力によって、第２の歯欠けギア３６９を図中反時計回り方向に回転させる回転モーメントが作用する。その結果、第２の歯欠けギア３６９は、図１２（ｂ）に示されるように、カム部３８１の第２の平坦部３８１ｂの全面が作動部材３９１の先端部３９２と圧接した位置まで回転して停止する。
【００８３】
このとき、作動部材３９１の先端部３９２は、第２の歯欠けギア３６９のカム部３８１によって押し下げられる。作動部材３９１は、図９中、時計回り方向に回転した位置となる。そのため、作動部材３９１の作動部３９４は、上方に回転して昇降アーム３６５を押し上げる。昇降アーム３６５が設けられた支持軸３６３は、図９中反時計回り方向に回転する。したがって、排出ローラ７７の従動ローラ７７ａは、駆動ローラ７７ｂから離間した位置に移動する。
【００８４】
なお、歯欠けギア３６７は、第１の歯欠けギア３６８が先に停止した後、第２の歯欠けギア３６９が遅れて第１の歯欠けギア３６８と同方向に回転して停止する。その間、コイルスプリング３８６は、停止した第１の歯欠けギア３６８に対して回転する第２の歯欠けギア３６９によって巻き締められる。
【００８５】
その後、歯欠けギア３６７は、ソレノイド３７０を予め設定された時間だけオン状態とすることにより１８０度回転して、図１１（ａ）に示される状態に戻り、排出ローラ７７の従動ローラ７７ａが駆動ローラ７７ｂに接触する。
【００８６】
このように、解除手段３６２は、ソレノイド３７０をオン／オフすることにより作動部材３９１を回転させ、排出ローラ７７の従動ローラ７７ａを駆動ローラ７７ｂから離間させ、排出ローラ７７の搬送力が原稿６に作用する状態を解除する。
【００８７】
ところで、この実施の形態のシート搬送装置３２０は、図１３に示されるように、ナジャーローラ７１とフィードローラ７２が一体的に組み付けられた送り出し手段の一例としての送り出しユニット４１０を備えている。送り出しユニット４１０は、図１４乃至図１６に示されるように、画像読取装置３の開閉部材の一例としてのサイドカバー４１１に着脱自在に構成されている。サイドカバー４１１は、画像読取装置３の原稿押さえカバー３２に対して一端部（図中左側の端部）の下方を支点として開閉自在に取り付けられている。
【００８８】
送り出しユニット４１０は、図１３に示されるように、ナジャーローラ７１と、フィードローラ７２と、ナジャーローラ７１及びフィードローラ７２を保持する保持部材の一例としての保持フレーム４１２と、ナジャーローラ７１及びフィードローラ７２に回転駆動力を伝達してナジャーローラ７１及びフィードローラ７２を回転駆動する駆動軸の一例としての第１の駆動軸４１３と、フィードローラ７２を回転駆動する第２の駆動軸４１４と、第１の駆動軸４１３と第２の駆動軸４１４との間に介在されるトルクリミッタ４１５と、第２の駆動軸４１４の回転駆動力をナジャーローラ７１に伝達する駆動力伝達手段４１６と、第１及び第２の駆動軸４１３，４１４を回転自在に支持する複数（２つ）の軸受部材４１７，４１８と、各軸受部材４１７，４１８にそれぞれ一体的に設けられ、各軸受部材４１７，４１８をサイドカバー４１１の内面に着脱自在に固定する第１及び第２の固定部材４１９，４２０と、第１の駆動軸４１３の端部に取り付けられた従動ギア４２１とを備えている。従動ギア４２１は、図１４及び図１５に示されるように、送り出しユニット４１０が装着されたサイドカバー４１１を原稿押さえカバー３２に対して閉じた状態で、原稿押さえカバー３２側の伝達ギア３６１（図４参照）と噛み合わされることで回転駆動力が伝達される。
【００８９】
保持フレーム４１２は、図１３及び図１７に示されるように、ナジャーローラ７１及びフィードローラ７２の軸方向に沿った一端側（図中左側）に配置され、駆動力伝達手段４１６を収容した平面矩形の枠体状に形成された第１の保持部材の一例としての駆動フレーム４２２と、ナジャーローラ７１及びフィードローラ７２の軸方向に沿った他端側（図中右側）に配置され、平板状に形成された第２の保持部材の一例としての支持フレーム４２３とから構成されている。また、保持フレーム４１２は、図１８に示されるように、ナジャーローラ７１及びフィードローラ７２を交換可能とするため、駆動フレーム４２２と支持フレーム４２３とが着脱自在（分解可能）となっている。
【００９０】
駆動フレーム４２２は、図１８に示されるように、その底部に支持フレーム４２３側へ向けて延在するように設けられた平板状の底板部４２４を有している。支持フレーム４２３は、底板部４２４を介して駆動フレーム４２２に着脱される。支持フレーム４２３の内側面には、駆動フレーム４２２側へ向けて突出するように細長い平板状の係合片４２５が設けられている。係合片４２５の先端部の下面には、爪部４２７が形成されている。爪部４２７は、駆動フレーム４２２の係合部４２６と係合されることにより支持フレーム４２３と駆動フレーム４２２とを結合する。駆動フレーム４２２の係合部４２６は、底板部４２４に一体的に設けられた起立板４２８の切欠部からなる。また、係合片４２５の基端部４２９は、円柱形状に形成されている。係合片４２５の基端部４２９は、駆動フレーム４２２の底板部４２４に設けられた円筒形状の位置決め部４３０に挿入されることで位置決めされる。また、支持フレーム４２３には、第２の駆動軸４１４を回転自在に支持する支持部４３１と、ナジャーローラ７１の回転軸４３２を回転自在に支持する支持部４３３とが設けられている。支持フレーム４２３は、係合片４２５を弾性変形させて爪部４２７と係合部４２６との係合を解除することにより、駆動フレーム４２２から分離される。
【００９１】
一方、駆動フレーム４２２の内部には、図１３及び図１７に示されるように、第２の駆動軸４１４に固定された第１ギア４３４と、ナジャーローラ７１の回転軸４３２に固定された第２ギア４３５と、第１ギア４３４の回転駆動力を第２ギア４３５に伝達する第３ギア４３６とが噛み合わされた状態で収容されている。第３ギア４３６は、円柱形状に形成された軸状部材４３７（図１７参照））により駆動フレーム４２２に回転自在に取り付けられている。軸状部材４３７は、駆動フレーム４２２の対向する壁部にそれぞれ貫通して設けられた挿入孔に挿入自在に構成されている。軸状部材４３７の先端には、支持フレーム４２３の係合片４２５と同様に形成された係合片４３８が設けられている。係合片４２８の先端部の下面には、駆動フレーム４２２の係合部４３９と係合することにより軸状部材４３７を駆動フレーム４２２に固定する図示しない爪部が形成されている。駆動フレーム４２２の係合部４３９は、底板部４２４に一体的に設けられた起立板４４０の切欠部からなる。軸状部材４３７は、係合片４３９の図示しない爪部を駆動フレーム４２２の係合部４３９に係合させることで、駆動フレーム４２２に固定される。なお、駆動力伝達手段４１６は、第１ギア４３４、第２ギア４３５及び第３ギア４３６から構成されるものに限らず、駆動プーリと駆動ベルトから構成しても良い。但し、駆動力伝達手段４１６を複数枚のギアから構成することにより、駆動プーリ及び駆動ベルトに比較して組立性が向上するとともにコストダウンが図られる。
【００９２】
駆動フレーム４２２の外側面には、図１３に示されるように、第１の駆動軸４１３の先端に接続されたトルクリミッタ４１５が固定した状態で取り付けられている。トルクリミッタ４１５の入力側には、第１の駆動軸４１３の端部が連結されている。また、トルクリミッタ４１５の出力側には、第２の駆動軸４１４の端部が連結されている。トルクリミッタ４１５は、第１の駆動軸４１３のトルクが予め決められた設定値を超えると、そのトルクの第２の駆動軸４１４への伝達を制限又は遮断するトルク制限装置である。これにより、駆動モータ３２１からフィードローラ７２に伝達される駆動トルクが制御される。
【００９３】
駆動フレーム４２２及び支持フレーム４２３のナジャーローラ７１側の端部には、図１３に示されるように、その側方に向けて突出するように細長い板状の作動棹４４１，４４２が設けられている。
【００９４】
送り出しユニット４１０は、待機時、つまり原稿６の非搬送時、図１９に示されるように、サイドカバー４１１の天井壁４４３に近接した退避位置に移動する。送り出しユニット４１０の保持フレーム４１２は、第１の駆動軸４１３の回転力によって当該第１の駆動軸４１３の回転方向に移動する。第１の駆動軸４１３は、原稿６の搬送時、駆動モータ３２１の回転駆動力が伝達される従動ギア４２１によって図中時計回り方向に回転駆動される。すると、保持フレーム４１２は、図２０に示されるように、第１の駆動軸４１３の回転に伴って図中時計回り方向に移動し、ナジャーローラ７１が原稿収容部７０に収容された図示しない原稿の上面に圧接する搬送位置へと移動する。また、保持フレーム４１２は、予め定められたタイミングで第１の駆動軸４１３が図中反時計回り方向に回転駆動されると、図１９に示されるように、退避位置に戻る。なお、第１の駆動軸４１３に伝達される駆動モータ３２１の回転駆動力は、第２の電磁クラッチ３２４により伝達される状態と伝達されない状態に切り替えられ、退避位置に戻った後に第１の駆動軸４１３が停止される。
【００９５】
サイドカバー４１１の天井壁４４３には、図１９及び図２５に示されるように、送り出しユニット４１０を退避位置に保持するロック部材４４４が設けられている。ロック部材４４４は、天井壁４４３の内面に回動自在に支持された回動軸４４５と、回動軸４４５から斜め下方に向けて延在するように設けられたロックアーム４４６とを備えている。また、ロック部材４４４の回動軸４４５には、ロックアーム４４６を図中時計回り方向に付勢するバネ４４５ａ（図２５参照）が取り付けられている。ロックアーム４４６は、その中間に設けられた突起部４４７の先端が、回動軸４４５を回動自在に支持する支持板４４８の端部に突き当たることで停止している。ロックアーム４４６は、その先端部が保持フレーム４１２における駆動フレーム４２２の下端部に接触し、送り出しユニット４１０を退避位置に保持する。
【００９６】
第１の駆動軸４１３が図１９中時計回り方向に回転駆動されると、図２０に示されるように、ロックアーム４４６が駆動フレーム４２２の下端部により押されて図中反時計回り方向に回動する。そして、送り出しユニット４１０は、ロックアーム４４６と駆動フレーム４２２とのロックが解除されて給紙位置へと移動する。
【００９７】
また、送り出しユニット４１０は、上述したように、第１の駆動軸４１３が図中反時計回り方向に回転駆動されると退避位置に移動する。その際、ロック部材４４４のロックアーム４４６は、図２０に二点鎖線で示されるように、駆動フレーム４２２の先端面４２２ａと接触して、当該先端面４２２ａにより押され先端面４２２ａに沿って滑りながら図中反時計回り方向に回動して駆動フレーム４２２の回動を許容する。そして、送り出しユニット４１０は、退避位置に移動すると、図１９に示されるように、ロックアーム４４６の先端が駆動フレーム４２２の下端部に接触して当該退避位置に保持される。
【００９８】
さらに、原稿収容部７０の先端には、図１４及び図２１に示されるように、フィードローラ７２より原稿６の搬送方向に沿った上流側であってナジャーローラ７１よりも原稿６の搬送方向に沿った下流側の位置に、原稿６の先端を突き当てることで当該原稿６を適切な位置にセット可能となるよう原稿６先端のセット位置の基準となるゲート部材４５０が設けられている。ゲート部材４５０は、押圧パッド７２ａの両側にそれぞれ配置されている（図１４参照）。ゲート部材４５０は、その下端部が軸支部４５１によって原稿収容部７０の開閉部材４０１に回動自在に支持されている。また、ゲート部材４５０の上端部４５２は、原稿６の搬送方向に沿った下流側に向けて折り曲げられている。ゲート部材４５０は、図示しないバネによって原稿収容部７０の上面から突出する方向に付勢されている。また、ゲート部材４５０は、原稿６の搬送時、図示しないバネに抗して倒れることにより原稿収容部７０から原稿６を搬送可能とする。
【００９９】
ゲート部材４５０は、図２１に示されるように、立ち上がった状態において、サイドカバー４１１に回動自在に設けられたゲートロック部材４５３と引っ掛かりあうことで、原稿６のセット時に倒される方向の力（図中左向きの力）が作用しても倒れないように構成されている。ゲートロック部材４５３は、ゲート部材４５０と引っ掛かりあう基端部４５４が屈曲した帯板状に形成されている。ゲートロック部材４５３は、その中間部が回動軸４５５を介してサイドカバー４１１の天井壁４４３に回動自在に取り付けられている。また、ゲートロック部材４５３の先端部には、保持フレーム４１２の作動棹４４１，４４２と接触することで、ゲート部材４５０との引っ掛かりを解除する方向の回動力が付与される屈曲部４５６が設けられている。
【０１００】
ゲートロック部材４５３は、図２２に示されるように、保持フレーム４１２が給紙位置に移動する動作に伴い、保持フレーム４１２の作動棹４４１，４４２に接触して屈曲部４５６が押し下げられて図中時計回り方向に回動する。すると、ゲートロック部材４５３は、その基端部４５４とゲート部材４５０との引っ掛かりが解除され、ゲート部材４５０は、給紙方向に回動自在となる。
【０１０１】
ところで、この実施の形態では、図１３に示されているように、送り出しユニット４１０の第１及び第２の駆動軸４１３，４１４を回転自在に支持する軸受部材の一例としての第１及び第２の軸受部材４１７，４１８を備えている。第１の軸受部材４１７は、第１の駆動軸４１３の中間部を回転自在に支持している。また、第２の軸受部材４１８は、第２の駆動軸４１４の先端部を回転自在に支持している。なお、第１及び第２の軸受部材４１７，４１８は、略同様に構成されている。
【０１０２】
第１及び第２の軸受部材４１７，４１８は、図１７及び図２３に示されるように、第１及び第２の駆動軸４１３，４１４の軸方向に沿った一端部に設けられた短い略円筒形状の軸受部４６０，４６１と、軸受部４６０，４６１の軸方向に沿って第１及び第２の駆動軸４１３，４１４が一部露出するように略半円筒形状に形成された半円筒部４６２，４６３と、軸受部４６０，４６１から半円筒部４６２，４６３と同方向に第１及び第２の駆動軸４１３，４１４の露出部に対して延在するように形成された係合片４６４，４６５とを有している。係合片４６４，４６５の先端部には、第１及び第２の駆動軸４１３，４１４に設けられた溝部４６６，４６７に挿入されることにより、第１及び第２の軸受部材４１７，４１８が第１及び第２の駆動軸４１３，４１４の軸方向に沿って移動するのを規制する規制片４６８，４６９が設けられている。また、軸受部４６０，４６１の外周には、１８０度対向する位置に平面部４７０，４７１が形成されている。そして、軸受部４６０，４６１は、図２４に示されるように、互いに対向する平面部４７０，４７１間の間隔ｄが軸受部４６０，４６１の外径よりも小さく設定されている。
【０１０３】
また、第１の軸受部材４１７には、図２３に示されるように、金属製の環状に形成された導電性部材の一例としての導通部材４７２が第１の駆動軸４１３に対して回転自在に装着されている。導通部材４７２は、その一側に外径が小さく一体的に形成された円筒部４７２ａの平面部４７２ｂを介して第１の軸受部材４１７の半円筒部４６２の先端に回り止め状態で固定されている。導通部材４７２は、図２５に示されるように、サイドカバー４１１の内面に設けられた板バネ４７３に接触することで、板バネ４７３を介して画像読取装置３側のアースに接続されている。導通部材４７２は、給紙時に、ナジャーローラ７１やフィードローラ７２が原稿６と接触することにより生じる摩擦帯電の電荷を逃がすためのものである。
【０１０４】
第１及び第２の軸受部材４１７，４１８には、図１７及び図２３に示されるように、第１及び第２の駆動軸４１３，４１４と交差する方向に沿ってそれぞれ配置された第１及び第２の固定部４１９，４２０が一体的に設けられている。第１及び第２の固定部４１９，４２０は、第１及び第２の軸受部材４１７，４１８の軸受部４６０，４６１に第１及び第２の駆動軸４１３，４１４と交差する方向に平板状に設けられた第１及び第２の腕部４７５，４７６と、第１及び第２の腕部４７５，４７６の中間に設けられた一方の把持部４７７，４７８と、第１及び第２の腕部４７５，４７６の先端に設けられたスナップフィット部４７９，４８０を有している。
【０１０５】
スナップフィット部４７９，４８０は、側面略Ｕ字形状に折り曲げられた板バネ４８１，４８２と、板バネ４８１，４８２の先端に設けられた他方の把持部４８３，４８４と、板バネ４８１，４８２の先端に当該板バネ４８１，４８２と交差する方向に設けられた凸片４８５，４８６とから構成されている。
【０１０６】
一方、サイドカバー４４１の内面には、図１６に示されるように、送り出しユニット４１０の第１及び第２の軸受部材４１７，４１８が固定される第１及び第２の軸支部４９０，４９１と、第１及び第２の固定部４１９，４２０が装着され固定される第１及び第２の装着部４９２，４９３とが設けられている。サイドカバー４１１の軸支部４９０，４９１は、図２４に示されるように、第１及び第２の軸受部材４１７，４１８の軸受部４６０，４６１の外径に対応した内径を有する凹部４９０ａ，４９１ａを有している。凹部４９０ａ，４９１ａの上端部には、開口部４９４，４９５が設けられている。開口部４９４，４９５の開口幅は、軸受部４６０，４６１の平坦部４７０，４７１間の間隔ｄと同等か若干大きく設定されている。
【０１０７】
また、サイドカバー４１１の装着部４９２，４３０は、図２４に示されるように、スナップフィット部４７９，４８０の板バネ４８１，４８２が収容される凹所４９６，４９７と、スナップフィット部４７９，４８０の凸片４８５，４８６が係止される係止部４９８，４９９とを有している。係止部４９８，４９９は、サイドカバー４４１の天井壁４４３に交差する方向に設けられ、その先端部４９８ａ，４９９ａがスナップフィット部４７９，４８０の凸片４８５，４８６と相対的に係止されるように折り曲げられている。また、装着部４９２，４９３には、図２７に示されるように、スナップフィット部４７９，４８０の把持部４８３，４８４が挿入される凹部４９８ｂ，４９９ｂが設けられている。
【０１０８】
一方、ナジャーローラ７１の側方には、図１９及び図２５に示されるように、原稿６の先端を検知する原稿センサ３２８が配置されている。原稿センサ３２８は、回転軸３２８ａを介してサイドカバー４１１に回転自在に装着されている。また、回転軸３２８ａの先端には、原稿センサ３２８の位置を図示しない位置センサによって光学的に検知するための遮光板３２８ｂが設けられている。なお、遮光板３２８ｂは、図１４及び図１５に示されるように、サイドカバー４１１を閉じた状態で原稿押さえカバー４２側に設けられた図示しない位置センサにより検知される。
【０１０９】
＜画像形成装置の特徴部分の動作＞
この実施の形態の画像読取装置３では、次のようにして送り出しユニット４１０が交換される。
【０１１０】
すなわち、画像読取装置３では、図３に示されるように、原稿収容部７０に収容された原稿６を搬送する際に、駆動モータ３２１を正転方向に回転駆動させる。これにより、送り出しユニット４１０は、図２０及び図２２に示されるように給紙位置へと移動して、原稿収容部７０に収容された図示しない原稿６の表面にナジャーローラ７１が圧接され、原稿６の搬送を開始する。
【０１１１】
そのため、画像読取装置３では、多数枚の原稿６を搬送する間に、ナジャーローラ７１やフィードローラ７２が経時的に摩耗したり、ナジャーローラ７１やフィードローラ７２に原稿６の紙粉が付着する場合がある。画像読取装置３では、ナジャーローラ７１やフィードローラ７２に摩耗等が発生すると、給紙時に原稿６が正常に搬送されず、原稿６の搬送不良が生じたり、原稿６の詰まり（所謂ジャム）の原因となる虞れがある。
【０１１２】
この実施の形態では、図１６に示されるように、ナジャーローラ７１及びフィードローラ７２が装着された送り出しユニット４１０の交換が可能となっている。送り出しユニット４１０を交換する場合には、図１４及び図１５に示されるように、画像読取装置３のサイドカバー４１１を開放する。画像読取装置３のサイドカバー４１１を開放すると、図１４及び図２６に示されるように、サイドカバー４１１の内面に装着された送り出しユニット４１０が外部に露出した状態となる。
【０１１３】
次に、ユーザ又はサービスエンジアは、図２４（ｂ）及び図２６に示されるように、送り出しユニット４１０の第１及び第２の軸受部材４１７，４１８に設けられたスナップフィット部４７９，４８０を操作して、当該スナップフィット部４７９，４８０とサイドカバー４１１の装着部４９２，４９３との係止状態を解除する。スナップフィット部４７９，４８０は、図２７に示されるように、一方の把持部４７７，４７８の側面４７７ａ，４７８ａと他方の把持部４８３，４８４とを親指と人差し指等で摘まむことにより板バネ４８１，４８２を弾性変形させ、装着部４９２，４９３の係止部４９８，４９９とスナップフィット部４７９，４８０の凸片４８５，４８６との係止状態を解除する。この状態で、第１及び第２の固定部４１９，４２０を図２４（ａ）に示されるように図中反時計回り方向に約９０度回転させることにより、第１及び第２の軸受部材４１７，４１８の軸受部４６０，４６１が平面部４７０，４７１を介してサイドカバー４１１の装着部４９２，４９３から取り外し自在となる。よって、送り出しユニット４１０は、図２４（ａ）に示される状態において、第１及び第２の固定部４１９，４２０を手で持って上方へ移動させることにより、第１及び第２の軸受部材４１７，４１８の軸受部４６０，４６１がサイドカバー４１１の装着部４９２，４９３の開口部４９４，４９５を通してサイドカバー４１１から取り外される。
【０１１４】
その後、送り出しユニット４１０は、図１８に示されるように、保持フレーム４１２の駆動フレーム４２２と支持フレーム４２３を分離することにより、ナジャーローラ７１及びフィードローラ７２が交換可能な状態となる。なお、図１８に示されるように、支持フレーム４２３を第２の駆動軸４１４から取り外すには、先に第２の軸受部材４１８を第２の駆動軸４１４から取り外しておく必要がある。また、ナジャーローラ７１及びフィードローラ７２の少なくとも一方を保持フレーム４１２から分離した状態で、ナジャーローラ７１及びフィードローラ７２を交換せずにナジャーローラ７１及びフィードローラ７２を清掃することも容易となる。
【０１１５】
また、ナジャーローラ７１及びフィードローラ７２等の交換を行った後、送り出しユニット４１０を組み立てるには、図１８に示されるように、第２の駆動軸４１４及びナジャーローラ７１の回転軸４３２に支持フレーム４２３を挿入して当該支持フレーム４２３を駆動フレーム４２２に連結すれば良い。
【０１１６】
その後、送り出しユニット４１０は、図２４（ａ）に示されるように、取り外し時と逆の操作により、第１及び第２の軸受部材４１７，４１８をサイドカバー４１１の装着部４９２，４９３に装着し、第１及び第２の軸受部材４１７，４１８に一体的に設けられた第１及び第２の固定部４１９，４２０を図中時計回り方向に回動する。さらに、送り出しユニット４１０は、図２４（ｂ）及び図２５に示されるように、第１及び第２の固定部４１９，４２０をサイドカバー４１１の装着部４９２，４９３に固定することにより、送り出しユニット４１０がサイドカバー４１１の所要の位置に容易に装着される。
【０１１７】
また、この実施の形態では、送り出しユニット４１０がサイドカバー４１１に装着されているため、ナジャーローラ７１やフィードローラ７２の周囲で原稿６の詰まりが発生した場合であっても、図１４及び図１５に示されるように、サイドカバー４１１を開放するだけで、ナジャーローラ７１及びフィードローラ７２を原稿収容部７０から開放することができ、詰まりが発生した原稿６の除去が容易に行える。
【符号の説明】
【０１１８】
１…画像形成装置
１ａ…画像形成装置本体
３…画像読取装置
３１…画像読取装置筐体
７１…ナジャーローラ
７２…フィードローラ
４１０…送り出しユニット
４１２…保持フレーム
４１３…第１の駆動軸
４１４…第２の駆動軸
４１７…第１の軸受部材
４１８…第２の軸受部材
４１９…第１の固定部
４２０…第２の固定部
【図１】
2017024850.tif 000003
【図２】
2017024850.tif 000004
【図３】
2017024850.tif 000005
【図４】
2017024850.tif 000006
【図５】
2017024850.tif 000007
【図６】
2017024850.tif 000008
【図７】
2017024850.tif 000009
【図８】
2017024850.tif 000010
【図９】
2017024850.tif 000011
【図１０】
2017024850.tif 000012
【図１１】
2017024850.tif 000013
【図１２】
2017024850.tif 000014
【図１３】
2017024850.tif 000015
【図１４】
2017024850.tif 000016
【図１５】
2017024850.tif 000017
【図１６】
2017024850.tif 000018
【図１７】
2017024850.tif 000019
【図１８】
2017024850.tif 000020
【図１９】
2017024850.tif 000021
【図２０】
2017024850.tif 000022
【図２１】
2017024850.tif 000023
【図２２】
2017024850.tif 000024
【図２３】
2017024850.tif 000025
【図２４】
2017024850.tif 000026
【図２５】
2017024850.tif 000027
【図２６】
2017024850.tif 000028
【図２７】
2017024850.tif 000029